(57)【要約】【課題】掃除性が良好で衛生的に保ち得る棚柱の配設構造を提供する。【解決手段】箱体を構成する天板および底板の内面に、箱状に形成された上下の棚柱固定部材４６,４８がネジ止め固定される。両棚柱固定部材４６,４８に、中柱３４がネジ止め固定される。この中柱３４は、断面コ字状に形成された一対の柱部材３６,３６を相互に連結することで構成される。そして、棚柱固定部材４６,４８に中柱３４を固定する場合は、一対の柱部材３６,３６を棚柱固定部材４６,４８に外嵌したもとで、両柱部材３６,３６を連結固定する第１ネジ４２を利用して棚柱固定部材４６,４８にネジ止め固定する。【選択図】図１
2005211168.tif 000002
【特許請求の範囲】
【請求項１】
箱体(18)の内部側面に配設されて上下方向に延在する棚受部材(22)との間に棚部材(26)が支持される棚柱(34)を、前記箱体(18)の内部に上下方向に延在するよう配設する棚柱の配設構造において、
前記箱体(18)の内部天面および底面の少なくとも一方に、箱状の棚柱固定部材(46,48)を配設し、該棚柱固定部材(46,48)に前記棚柱(34)を固定するよう構成した
ことを特徴とする棚柱の配設構造。
【請求項２】
前記棚柱固定部材(46,48)は、その内部に臨む固定手段(52)を介して前記天面または底面に密着して固定される請求項１記載の棚柱の配設構造。
【請求項３】
前記棚柱(34)は、前記棚柱固定部材(46,48)に外嵌された状態で、固定手段(42)を介して側方から該棚柱固定部材(46,48)に固定される請求項１または２記載の棚柱の配設構造。
【請求項４】
前記棚柱(34)の側面に棚受部材(22)が配設され、該棚受部材(22)と前記箱体(18)の内部側面に配設された棚受部材(22)との間で棚部材(26)を支持するようにした請求項１〜３の何れかに記載の棚柱の配設構造。
【発明の詳細な説明】
【技術分野】
【０００１】
本発明は、箱体に内部画成した収納室に配設されて、被収納物を載置するための棚部材を支持するための棚柱の配設構造に関するものである。
【背景技術】
【０００２】
厨房に設置される食器類等を収納する戸棚は、図４に示す如く、一対の側板１０,１０、天板(図示せず)、底板１４および背板１６を相互に連結して構成された箱体１８の内部に、食器類等が収納される収納室２０が画成されると共に、該箱体１８には、前方に開放する矩形状の開口部１８ａが開設され、この開口部１８ａは、図示しないスライド扉により開閉されるよう構成される。また箱体１８の幅方向に対向する左右の内部側面(側板１０の内面)には、前後に離間する位置に、上下方向に延在するよう棚受部材２２,２２が夫々配設されている。更に、箱体１８の内部における幅方向の略中央部には、同じく前後に離間する位置に、上下方向に延在するよう中柱２４,２４が配設されており、各中柱２４の左右両側面には、棚受部材２２が夫々上下方向に沿って配設される。前記各棚受部材２２,２２には、上下方向に離間して複数の係止孔２２ａ,２２ａが開設され、同一水平レベルの係止孔２２ａ,２２ａに着脱自在に係止される棚受金(図示せず)に、棚部材２６が載置されるようになっている。
【０００３】
前記中柱２４は、図５に示す如く、縦長矩形状の側板部２８ａと、該側板部２８ａにおける前後の端縁に沿って直角に折曲形成した前後の延出部２８ｂ,２８ｂとからなる断面コ字状を呈する一対の柱部材２８,２８を、その前後の延出部２８ｂ,２８ｂを相互に重ね合わせるように嵌合したもとで、複数のネジ３０により連結固定されている。各柱部材２８における側板部２８ａには、その上下端部に、前後の延出部２８ｂ,２８ｂとは離間する外方に向けてフランジ２８ｃが夫々直角に折曲形成されており、この上下のフランジ２８ｃ,２８ｃを前記箱体１８の内部天面(天板の内面)および底面(底板１４の内面)に当接したもとで、該フランジ２８ｃ,２８ｃをネジ３２を介して天面および底面に固定するよう構成される。
【０００４】
なお、前記中柱２４を、フランジ２８ｃ,２８ｃを介して箱体内部に配設するものとしては、例えば特許文献１がある。
【特許文献１】特開平９−１４８２８号公報
【発明の開示】
【発明が解決しようとする課題】
【０００５】
前述したように中柱２４をフランジ２８ｃ,２８ｃを介して箱体内部に配設する場合、箱体内部を清掃する際には、内部天面および底面からフランジ２８ｃが突出しているため、清掃の邪魔となる。またフランジ２８ｃをネジ止めするネジ３２が、フランジ２８ｃから更に突出しているために、該ネジ３２に清掃具等が引掛かって掃除の邪魔となっていた。更には、該ネジ３２が天面および底面から突出した状態で露出しているから、前記スライド扉をスライドして箱体１８の開口部１８ａを開放した際に、該ネジ３２が見えるために見栄えが低下する難点も指摘される。
【０００６】
更にまた、前記フランジ２８ｃは側板部２８ａの端部を折曲して形成する構成のため、該フランジ２８ｃを内部天面または底面に当接した状態では、前後の延出部２８ｂ,２８ｂと天面または底面との間に、フランジ２８ｃの厚み分だけ隙間が生じ、該隙間からゴミ等が中柱２４の内部に侵入し易く、不衛生となり易い難点が指摘される。
【０００７】
すなわち本発明は、前述した従来の技術に内在している前記課題に鑑み、これを好適に解決するべく提案されたものであって、掃除性が良好で衛生的に保ち得る棚柱の配設構造を提供することを目的とする。
【課題を解決するための手段】
【０００８】
前記課題を克服し、所期の目的を好適に達成するため、本発明に係る棚柱の配設構造は、
箱体の内部側面に配設されて上下方向に延在する棚受部材との間に棚部材が支持される棚柱を、前記箱体の内部に上下方向に延在するよう配設する棚柱の配設構造において、
前記箱体の内部天面および底面の少なくとも一方に、箱状の棚柱固定部材を配設し、該棚柱固定部材に前記棚柱を固定するよう構成したことを特徴とする。
【発明の効果】
【０００９】
本発明に係る棚柱の配設構造によれば、箱体の内部天面および底面の少なくとも一方に配設した箱状の棚柱固定部材に棚柱を固定するよう構成したから、該棚柱を固定するためのフランジが天面または底面から突出することはなく、天面または底面の清掃が容易となる。また、箱状の棚柱固定部材を天面または底面に密着して固定したので、該棚柱固定部材と天面または底面との間に隙間はなく、棚柱固定部材に固定される棚柱の内部にゴミ等が侵入するのは防止され、衛生的に保つことができる。更に、棚柱固定部材は、その内部に臨む固定手段で天面または底面に固定するよう構成したから、該固定手段が露出することはなく、良好な見栄えが得られる。
【００１０】
また、棚柱を棚柱固定部材に外嵌することで、該固定部材が露出することはなく、見栄が低下するのは抑えられる。なお、棚柱の側面に棚受部材を配設するようにしたから、該棚柱に棚受金等を係止するための加工を施す必要はなく、製造コストを低廉に抑えることができる。
【発明を実施するための最良の形態】
【００１１】
次に、本発明に係る棚柱の配設構造につき、好適な実施例を挙げて、添付図面を参照しながら以下説明する。なお、図４および図５を参照して説明した従来の技術に既出の同一部材には、同じ符号を付して示すものとする。
【実施例】
【００１２】
図１は、実施例に係る棚柱の配設構造を示す分解斜視図であり、この配設構造を採用した実施例の戸棚は、図２に示す如く、一対の側板１０,１０、天板１２、底板１４および背板１６を相互に連結固定することで、前方に開放する本体をなす箱体１８が構成され、その内部に収納室２０が画成される。箱体１８の前部には、前方に開放する矩形状の開口部１８ａが形成され、該開口部１８ａは、箱体１８にスライド自在に配設された図示しない一対のスライド扉により開閉し得るよう構成してある。
【００１３】
前記両側板１０,１０における収納室２０内に臨む対向する内面(箱体１８の内部側面)には、前後に離間して一対の棚受部材２２,２２が上下方向に延在するよう夫々配設されている。また箱体１８における幅方向の略中央部には、前後に離間して、一対の棚柱としての中柱３４,３４が上下方向に延在するよう配設されると共に、各中柱３４における左右の両側面には、棚受部材２２が夫々上下方向に沿って配設される。両棚受部材２２,２２は同一構造であって、図示しない棚受金が着脱自在に係止される係止孔２２ａ,２２ａが、上下方向に離間して複数穿設してある。すなわち、側板１０に配設された棚受部材２２,２２と、中柱３４,３４に配設された棚受部材２２,２２との同一レベル位置の係止孔２２ａ,２２ａに係止した棚受金を介して、食器類等を載置する棚部材２６が載置可能に構成されている。
【００１４】
前記中柱３４は、図１に示す如く、平断面においてコ字状に形成された一対の柱部材３６,３６を相互に連結することで、上下に開放する角筒状に構成される。すなわち、各柱部材３６は、縦長矩形状の側板部３８と、該側板部３８における前後の端縁に沿って直角に折曲形成した前後の延出部４０,４０とから構成される。この前後の延出部４０,４０には、上下に離間して複数の第１ネジ孔４０ａが形成されており、一方の柱部材３６における前後の延出部４０,４０の間に、他方の柱部材３６における前後の延出部４０,４０を嵌挿して各第１ネジ孔４０ａ,４０ａを一致させたもとで、両第１ネジ孔４０ａ,４０ａに外方から第１ネジ４２を螺挿することで、一対の柱部材３６,３６が連結固定されて中柱３４が構成される。
【００１５】
前記各柱部材３６の側板部３８には、上下方向に離間して複数の第２ネジ孔３８ａが形成され、該第２ネジ孔３８ａに外方から螺挿される第２ネジ４４を介して、前記棚受部材２２が中柱３４に着脱自在に固定されるようになっている。
【００１６】
前記中柱３４は、天板１２および底板１４の内面(箱体１８の内部天面および底面)に着脱自在に配設された一対の棚柱固定部材４６,４８を介して箱体１８に固定されるようになっている。一対の棚柱固定部材４６,４８の構成は上下対称であるので、底板１４に配設される下棚柱固定部材４８の構成についてのみ説明し、天板１２に配設される上棚柱固定部材４６の同一部分には同じ符号を付して示すものとする。すなわち、図１に示す如く、下棚柱固定部材４８は、上方(上棚柱固定部材４６の場合は下方)に開放する矩形箱状に形成されると共に、前記中柱３４が外嵌可能な寸法に設定されている。この下棚柱固定部材４８における底板１４と対向する閉塞面部には、複数の通孔５０が穿設され、各通孔５０に上方(外方)から挿通した固定手段としての固定ネジ５２を、底板１４の対応する位置に形成したネジ孔１４ａに螺挿することで、該下棚柱固定部材４８が底板１４にネジ止め固定される(図３参照)。なお、上棚柱固定部材４６に関しても、その閉塞面部に穿設した各通孔５０に下方(外方)から挿通した固定ネジ５２を、天板１２の対応する位置に形成したネジ孔(図示せず)に螺挿することで、該上棚柱固定部材４６は天板１２にネジ止め固定される。
【００１７】
前記下棚柱固定部材４８における前後の壁部には、ネジ孔５４が夫々形成されており、前記中柱３４の柱部材３６,３６を連結固定する固定手段としての第１ネジ４２を、該ネジ孔５４に螺挿することで、中柱３４が下棚柱固定部材４８にネジ止め固定されるようになっている。すなわち、中柱３４の下端部を下棚柱固定部材４８に外嵌したときに、該中柱３４における第１ネジ孔４０ａ,４０ａが、下棚柱固定部材４８のネジ孔５４に一致するよう設定され、これらネジ孔４０ａ,４０ａ,５４に第１ネジ４２を螺挿するよう構成される。なお、上棚柱固定部材４６に関しても、前後の壁部に形成した各ネジ孔５４に第１ネジ４２を螺挿することで中柱３４がネジ止め固定される。
【００１８】
〔実施例の作用〕
次に、前述した実施例に係る棚柱の配設構造の作用について説明する。前記戸棚の箱体１８に中柱３４を配設する場合は、先ず天板１２および底板１４の内面に棚柱固定部材４６,４８を、夫々固定ネジ５２を介してネジ止め固定する。すなわち、上下の棚柱固定部材４６,４８の閉塞面部を天板１２または底板１４の内面所定位置に密着するよう当接し、該閉塞面部に穿設した各通孔５０と、天板１２または底板１４の対応するネジ孔１４ａとを一致させたもとで、各通孔５０に挿通した固定ネジ５２をネジ孔１４ａに螺挿することで、上下の棚柱固定部材４６,４８を天板１２および底板１４に固定する。この上下の棚柱固定部材４６,４８では、天板１２または底板１４に固定するための固定ネジ５２は、該固定部材４６,４８の内部に臨んで外部から見えないようにしてあるから、該固定ネジ５２が露出することで見栄えが低下することはない(図３参照)。
【００１９】
前記一対の棚柱固定部材４６,４８を天板１２および底板１４に固定した後、前記中柱３４を構成する一対の柱部材３６,３６を、前後の延出部４０,４０で棚柱固定部材４６,４８を挟持するよう外嵌する。このとき、前後の延出部４０,４０において上下の両端部に形成されている第１ネジ孔４０ａ,４０ａが、棚柱固定部材４６,４８の対応するネジ孔５４,５４に一致し、両第１ネジ孔４０ａ,４０ａに外側方から螺挿した第１ネジ４２を、棚柱固定部材４６,４８のネジ孔５４,５４に螺挿することで、両柱部材３６,３６が連結されると共に中柱３４が一対の棚柱固定部材４６,４８に固定される。なお、柱部材３６,３６における他の第１ネジ孔４０ａ,４０ａに第１ネジ４２を螺挿して、両柱部材３６,３６を連結固定する。
【００２０】
そして、一対の棚柱固定部材４６,４８を介して箱体１８に固定された中柱３４の左右両側面に、第２ネジ４４を介して棚受部材２２を夫々ネジ止め固定する。
【００２１】
前記中柱３４は、天板１２および底板１４に固定した箱状の棚柱固定部材４６,４８に外嵌するようにして固定しているから、従来のようにフランジが天板１２や底板１４から収納室２０内に突出することはなく、箱体内部の清掃を容易に行ない得る。また、前述したように棚柱固定部材４６,４８を天板１２や底板１４に固定するための固定ネジ５２は、該固定部材４６,４８の内部に臨んでいるから、前記開口部１８ａを開放しても該固定ネジ５２が外部から見えることはなく、見栄えが低下することはない。更に、箱状の棚柱固定部材４６,４８と天板１２または底板１４との間に隙間は生じないから、前記中柱３４の内部にゴミ等が侵入して不衛生となるのも防止される。
【００２２】
また、前記中柱３４を棚柱固定部材４６,４８に外嵌しているので、該固定部材４６,４８が露出することはなく、前記開口部１８ａを開放したときには中柱３４のみが見えることとなり、見栄が低下するのは抑えられる。しかも、中柱３４と棚柱固定部材４６,４８を固定する第１ネジ４２は、中柱３４の外側方から螺挿されるようにしてあるから、該第１ネジ４２が天板１２や底板１４から離間し、清掃の邪魔となることもない。なお、中柱３４の側面に棚受部材２２を配設するようにしたから、該中柱３４に棚受金等を係止するための係止孔を形成する必要はなく、加工工数が増加したり強度低下を来たすことはない。
【００２３】
〔変更例〕
実施例では、棚柱の配設構造が採用される箱体として、食器類等を収納する戸棚を構成する場合で説明したが、冷蔵庫や冷凍庫あるいは冷蔵ショーケース等、内部の温度を調節することが可能な貯蔵庫を構成する断熱構造の箱体であってもよい。また実施例では、天板および底板の両方に棚柱固定部材を固定する場合で説明したが、少なくとも一方にのみ固定することでも、該棚柱固定部材が固定される側の面はフラットとなり、清掃性や見栄えが良好となる。更に、実施例では中柱に別途棚受部材を配設するよう構成したが、該中柱に、棚受金を係止可能な係止孔を形成するようにすれば、棚受部材を省略することは可能である。
【００２４】
なお、棚柱固定部材に中柱を固定するネジとして、該中柱を構成する一対の柱部材を連結固定する第１ネジを利用した場合で説明したが、専用のネジを用いることが可能である。また、棚柱固定部材に中柱を固定する固定手段、あるいは棚柱固定部材を天板や底板に固定する固定手段としては、実施例のネジに限定されるものでなく、リベット等であってもよい。
【図面の簡単な説明】
【００２５】
【図１】実施例に係る棚柱の配設構造における中柱と棚柱固定部材を示す分解斜視図である。
【図２】実施例に係る棚柱の配設構造を採用した戸棚からスライド扉を取外した状態で示す概略正面図である。
【図３】実施例に係る戸棚における中柱の配設部位を示す要部縦断正面図である。
【図４】従来の技術に係る棚柱の配設構造を採用した戸棚を一部省略して示す概略斜視図である。
【図５】従来の技術に係る戸棚における中柱を示す分解斜視図である。
【符号の説明】
【００２６】
１８ 箱体，２２ 棚受部材，２６ 棚部材，３４ 中柱(棚柱)
４２ 第１ネジ(固定手段)，４６ 上棚柱固定部材(棚柱固定部材)
４８ 下棚柱固定部材(棚柱固定部材)，５２ 固定ネジ(固定手段)
【図１】
2005211168.tif 000003
【図２】
2005211168.tif 000004
【図３】
2005211168.tif 000005
【図４】
2005211168.tif 000006
【図５】
2005211168.tif 000007